【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
流体送出ポンプを制御する第１のハードウェアであって、当該第１のハードウェアは、前記流体送出ポンプからレシピエントへ出力される流体の流れを制御する、前記第１のハードウェアと、
前記第１のハードウェアから隔離され、且つ、前記第１のハードウェアと独立して動作する第２のハードウェアであって、前記第１のハードウェアと通信する、前記前記第２のハードウェアと、
前記第１のハードウェアおよび前記第２のハードウェアから隔離され、且つ前記第１のハードウェアおよび前記第２のハードウェアと独立して動作する第３のハードウェアであって、当該第３のハードウェアは、前記第１および第２のハードウェアの両者に対して制御設定を通信するように動作可能であり、前記第１のハードウェアは、前記流体送出ポンプを制御し、前記制御設定により示された通りにレシピエントへ流体を送出する、前記第３のハードウェアと、
前記第２のハードウェアはさらに、前記第１のハードウェアからのフィードバックを監視し、前記第３のハードウェアから受け取った前記制御設定により特定される方法で流体の送出を検証するように動作可能である、システム。
【請求項２】
請求項１に記載のシステムであって、前記第２のハードウェアにより生成される制御出力は、前記流体送出ポンプにより送出された流体が許容可能な流体送出範囲外であることを検出したことに応答して、前記流体送出ポンプにおけるそれぞれのバルブの状態を制御し、前記レシピエントへの流体のさらなる流れを防止する、システム。
【請求項３】
請求項２に記載のシステムであって、前記第１のハードウェアが、開かれた位置と閉じられた位置の間で前記バルブの状態を制御する前記制御出力を使用し、前記流体送出ポンプから前記レシピエントへの流体の流れを制御する、システム。
【請求項４】
請求項３に記載のシステムであって、前記第２のハードウェアにより生成された前記制御出力が、前記第１のハードウェアによる前記バルブの制御を無効にする、システム。
【請求項５】
請求項１に記載のシステムであって、前記第１のハードウェアが、前記流体送出ポンプおよび流体の流れを制御するようにソフトウェア命令の第１のセットを実行し、
前記第２のハードウェアが、前記第１のハードウェアを監視するようにソフトウェア命令の第２のセットを実行し、
前記第３のハードウェアが、前記制御設定を抽出するために遠隔サーバとの通信をサポートするようにソフトウェア命令の第３のセットを実行する、システム。
【請求項６】
請求項５に記載のシステムであって、前記第２のハードウェアが、前記流体送出ポンプから前記レシピエントに出力された流体の推定量を示す入力を前記第１のハードウェアから受け取り、前記第２のハードウェアが、前記流体の前記推定量が許容し得る送出範囲を逸脱する検出に応答して制御出力を生成する、システム。
【請求項７】
請求項１に記載のシステムであって、前記第１のハードウェアからのフィードバックが、前記流体送出ポンプから前記レシピエントへ出力される流体の推定量を示し、前記第２のハードウェアは、前記第３のハードウェアにより示される前記制御設定に対して前記流体の推定量が逸脱する検出に応答して、前記レシピエントへの前記流体のさらなる流れを防止する制御出力を生成する、システム。
【請求項８】
請求項７に記載のシステムであって、前記第１のハードウェアが、前記流体送出ポンプから前記レシピエントへの前記流体の流れを制御するために、開かれた位置と閉じられた位置との間で前記それぞれのバルブの状態を制御する前記制御出力を使用する、システム。
【請求項９】
請求項１に記載のシステムはさらに、
前記第１のハードウェアと前記第２のハードウェアの間の情報の搬送を促進する、通信インターフェースを含む、システム。
【請求項１０】
請求項１に記載のシステムはさらに、
前記第１のハードウェアと前記第２のハードウェアとの間の情報の搬送を促進する、第１の通信インターフェースと、
前記第２のハードウェアと前記第３のハードウェアとの間の情報の搬送を促進する、第２の通信インターフェースと、
前記第１のハードウェアと前記第３のハードウェとの間の情報の搬送を促進する、第３の通信インターフェースと
を含む、システム。
【請求項１１】
請求項１０に記載のシステムはさらに、
前記第３のハードウェアと遠隔ネットワークとの間に広がり、且つ、前記流体送出ポンプと関連する情報を伝達する、通信リンクを含む、システム。
【請求項１２】
請求項１０に記載のシステムはさらに、
前記第３のハードウェアに通信的に結合される表示画面を含み、前記第３のハードウェアが、前記流体送出ポンプを操作する介護者による観察のために、前記表示画面上に前記流体送出ポンプと関連する構成情報の表示を開始する、システム。
【請求項１３】
請求項１に記載のシステムはさらに、
通知インターフェースを含み、前記第３のハードウェアは、前記流体送出ポンプを操作するそれぞれの介護者に流体送出の故障状態の発生を通知するように前記通知インターフェースを制御するように動作可能であり、前記第３のハードウェアは、前記第２のハードウェアから前記流体送出の故障状態の通知を受け取るように動作可能である、システム。
【請求項１４】
請求項１に記載のシステムはさらに、
第１の通信リンクであって、前記第３のハードウェアが前記第１の通信リンク上で前記第１のハードウェアと通信する、前記第１の通信リンクと、
前記第１の通信リンクと独立して動作する第２の通信リンクであって、前記第３のハードウェアが前記第２の通信リンク上で前記第２のハードウェアと通信する、前記第２の通信リンクと、
前記第１の通信リンクおよび前記第２の通信リンクと独立して動作する第３の通信リンクであって、前記第２のハードウェアが前記第３の通信リンク上で前記第１のハードウェアと通信する、前記第３の通信リンクとを含む、システム。
【請求項１５】
請求項１４に記載のシステムであって、前記第３のハードウェアは、前記第１の通信リンクにより前記第１のハードウェアに前記制御設定を通信するように動作可能であり、
前記第２のハードウェアは、前記第２の通信リンクにより前記第２のハードウェアに前記制御設定を通信するように動作可能であり、
前記第１のハードウェアは、前記第３の通信リンクにより前記第２のハードウェアにフィードバックを通信するように動作可能である、システム。
【請求項１６】
請求項１に記載のシステムはさらに、
前記第１のハードウェア、前記第２のハードウェアおよび前記第３のハードウェアの各々に異なる電力ソースで電力を供給するように動作可能である電力マネージャを含む、システム。
【請求項１７】
請求項１に記載のシステムであって、
前記第３のハードウェアは、故障状態の通知を提供するように表示画面を制御するように動作可能であり、
前記第３のハードウェアは、ネットワークを介して遠隔サーバに前記故障状態の通知を提供するように動作可能である、システム。
【請求項１８】
請求項１に記載のシステムであって、
前記第２のハードウェアは、前記第１のハードウェアと通信し、前記フィードバックに基づき前記流体送出ポンプからレシピエントへ出力される流体の推定レートを決定し、前記第２のハードウェアは、流体の前記推定レートが許容できる送出範囲外であることの検出に応答して、前記流体送出ポンプからの流体の流れを停止させる制御出力を生成する、システム。